(57)【要約】      （修正有）【課題】防水性能を改善した防爆灯を提供する。【解決手段】光を発するランプが設けられたボディ、ボディに供給される電力を変換するコンバータ２００、コンバータと電源線Ｗによって電気的に連結されるジャンクションボックス、コンバータとジャンクションボックスを機構的に連結し、電源線が通る中空部が形成された連結具４００及び連結具が螺合されるコンバータの締結ホール内で電源線とコンバータとの間を通しての水分の通過を遮断し、コンバータの突部に装着された状態で連結具によって縁が圧縮されるパッキン５００を含むパッキンは、連結具によって縁が圧縮されても電源線の外周面に密着される面積を増加させる構成とした。【選択図】図５
2018029051.tif 000002
【特許請求の範囲】
【請求項１】
光を発するランプが設けられたボディ；
前記ボディに供給される電力を変換するコンバータ；
前記コンバータと電源線によって電気的に連結されるジャンクションボックス；
前記コンバータと前記ジャンクションボックスを機構的に連結し、前記電源線が通る中空部が形成された連結具；及び、
前記連結具が螺合される前記コンバータの締結ホール内で前記電源線と前記コンバータとの間を通しての水分の通過を遮断し、前記コンバータの突部に装着された状態で前記連結具によって縁が圧縮されるパッキンを含み、
前記パッキンは、前記連結具によって縁が圧縮されても前記電源線の外周面に密着される面積が増加することを特徴とする防水性能改善型防爆灯。
【請求項２】
前記パッキンは、
前記突部に装着され、内周面が前記電源線と離隔された装着部；
前記装着部から前記突部と反対側に突出し、前記装着部が前記連結具によって圧縮される過程で前記連結具の内周面によって押圧されて前記電源線側に押される隆起部；及び、
前記装着部から延びて前記突部中央の電源線通過ホールに挿入され、内周面が前記電源線に密着される挿入部を含み、
前記連結具によって前記装着部が圧縮されても前記隆起部が前記電源線側に押されて前記装着部の内周面が前記電源線に密着されることを特徴とする請求項１に記載の防水性能改善型防爆灯。
【請求項３】
前記隆起部は、前記装着部から前記連結具に向かって突出した弧形断面が前記連結具の螺合軸を中心に円周方向に沿って連続した形態で形成され、
前記連結具の端部と内周面との間には前記隆起部の曲面を滑る傾斜面が形成されることを特徴とする請求項２に記載の防水性能改善型防爆灯。
【請求項４】
前記挿入部の内周面には前記電源線に密着される突出部が形成され、
前記装着部の内周面と前記突出部との間の段差により、前記電源線に密着された前記装着部の内周面と前記突出部との間には前記電源線と前記パッキンによって囲まれた水分隔離空間が形成されることを特徴とする請求項２に記載の防水性能改善型防爆灯。
【請求項５】
前記電源線に密着される前記装着部の内周面と前記突出部との間で、前記パッキンの内周面には前記水分隔離空間に侵透した水分を吸収する水分吸収体が取り付けられたことを特徴とする請求項４に記載の防水性能改善型防爆灯。
【請求項６】
前記挿入部の内周面には前記電源線に密着される突出部が形成され、
前記装着部の内周面には前記電源線に密着される凸部が形成され、
前記突出部と前記凸部との間には前記電源線と前記パッキンによって囲まれた水分隔離空間が形成されることを特徴とする請求項２に記載の防水性能改善型防爆灯。
【請求項７】
前記突出部と前記凸部との間で、前記パッキンの内周面には前記水分隔離空間に侵透した水分を吸収する水分吸収体が取り付けられたことを特徴とする請求項６に記載の防水性能改善型防爆灯。
【請求項８】
前記パッキンは、前記挿入部から延びて前記突部を基準として前記装着部と反対側で前記突部に密着される係部を含み、
前記装着部と前記係部との間には前記パッキンと前記突部によって囲まれた水分隔離空間が形成されることを特徴とする請求項２に記載の防水性能改善型防爆灯。
【請求項９】
前記装着部と前記係部との間で、前記パッキンの外周面には前記水分隔離空間に侵透した水分を吸収する水分吸収体が取り付けられたことを特徴とする請求項８に記載の防水性能改善型防爆灯。
【請求項１０】
前記連結具が螺合される前記ジャンクションボックスの結合ホール内で前記電源線と前記ジャンクションボックスとの間を通しての水分の通過を遮断し、前記ジャンクションボックスの段差部に装着された状態で螺合される前記連結具によって縁が圧縮される密封パッキンを含み、
前記連結具の外周面には、前記連結具が前記締結ホール及び前記結合ホールに両方向に螺合されながら前記コンバータ及び前記ジャンクションボックスによって両方向から押圧される環形突出部が形成されたことを特徴とする請求項１に記載の防水性能改善型防爆灯。
【発明の詳細な説明】
【技術分野】
【０００１】
本発明は、防水性能改善型防爆灯に関し、より詳しくは、雨水に露出される多湿な環境に設けられても水分浸透による故障や事故が防止されるようになされる防水性能改善型防爆灯に関する。
【背景技術】
【０００２】
爆発事故防止のために用いられる機器、石油化学、火力発電、医薬品などを取り扱う工場などでは、スイッチ、照明施設、液面計などに防爆技術を施したものが使用されているが、このようなものを主に防爆機器と呼ぶ。
【０００３】
防爆灯とは、防爆技術が適用されて、粉塵及び蒸気やガスによって爆発の危険のある化学工場、液化天然ガス（ＬＰＧ）充填所、鉱山坑道、原子力発電所のように安全性が強調される地域に使用できるように作られた照明灯のことを言う。
【０００４】
これに関連して、韓国登録特許公報第１３７０１２７号には産業用ＬＥＤ防爆灯の防水装置が開示されており、韓国登録特許公報第１３７０１２７号は、内部にＬＥＤが設けられたハウジングの上部面からハウジングの上方外側と下方内側に突出するように形成され、上記ハウジングの上方外側に突出した部分の内周面には電線案内管の下端部と結合されるねじ部が形成され、ハウジングの下方内側に突出した部分の内周面には電線案内管の外径よりも大きい内径を有し、下端部には中心側に向かう傾斜面が設けられたパッキン装着溝が形成された連結管と；上記連結管の下部内側に形成されたパッキン装着溝に嵌合され、下端部外側には上記パッキン装着溝に形成された傾斜面と同一の傾きの傾斜面が中心側に向かって形成され、中心部には単一または複数個の電線案内孔が貫通形成された防水パッキンを含んで構成される。
【０００５】
韓国登録特許公報第１３７０１２７号は、防爆灯を構成するハウジングの上部面に形成される連結管の下部内側に電線案内管の外径よりも大きい直径を有し、下端部に中心側に傾いた傾斜面を有するパッキン装着溝が形成され、上記パッキン装着溝に同一の形態を有する別途の防水パッキンが嵌合された状態で外部の電線案内管を連結管に締結すると、上記防水パッキンが電線案内管の締結力によって押圧されながら傾斜面に沿って中心側に締められるため、上記電線案内管と連結管との間及び防水パッキン上の電線案内孔と電線との間に隙間が形成されなくなり、その結果、外部の雨水と微細粉塵の流入が遮断されるとの利点がある。
【０００６】
しかし、韓国登録特許公報第１３７０１２７号は、防水パッキンが電線案内管の締結力によってその上端縁部が押圧されると、図１に示されているように、防水パッキンの上端縁部が電線案内管によって下に圧縮されながら電線案内孔の上部は縁部側に多少移動するようになることから電線案内孔と電線との間に隙間が形成されるとの短所があった。
【０００７】
図１に示されているように、水分は隙間を伝って染み込みやすいため、韓国登録特許公報第１３７０１２７号の防水装置を備えた防爆灯が雨水に露出される多湿な環境に設けられる場合、水分浸透による故障や事故の発生可能性が高い。
【先行技術文献】
【特許文献】
【０００８】
【特許文献１】韓国登録特許公報第１３７０１２７号（登録日：２０１４.０２.２６）
【発明の概要】
【発明が解決しようとする課題】
【０００９】
本発明の目的は、雨水に露出される多湿な環境に設けられても水分浸透による故障や事故が防止されるようになされる防水性能改善型防爆灯を提供することにある。
【課題を解決するための手段】
【００１０】
上記目的は、本発明によって、光を発するランプが設けられたボディ；上記ボディに供給される電力を変換するコンバータ；上記コンバータと電源線によって電気的に連結されるジャンクションボックス；上記コンバータと上記ジャンクションボックスを機構的に連結し、上記電源線が通る中空部が形成された連結具；及び、上記連結具が螺合される上記コンバータの締結ホール内で上記電源線と上記コンバータとの間を通しての水分の通過を遮断し、上記コンバータの突部に装着された状態で上記連結具によって縁が圧縮されるパッキンを含み、上記パッキンは、上記連結具によって縁が圧縮されても上記電源線の外周面に密着される面積が増加することを特徴とする防水性能改善型防爆灯によって達成される。
【００１１】
上記パッキンは、上記突部に装着され、内周面が上記電源線と離隔された装着部；上記装着部から上記突部と反対側に突出し、上記装着部が上記連結具によって圧縮される過程で上記連結具の内周面によって押圧されて上記電源線側に押される隆起部；及び、上記装着部から延びて上記突部中央の電源線通過ホールに挿入され、内周面が上記電源線に密着される挿入部を含み、上記連結具によって上記装着部が圧縮されても上記隆起部が上記電源線側に押されて上記装着部の内周面が上記電源線に密着されるようになされることができる。
【００１２】
上記隆起部は、上記装着部から上記連結具に向かって突出した弧形断面が上記連結具の螺合軸を中心に円周方向に沿って連続した形態で形成され、上記連結具の端部と内周面との間には上記隆起部の曲面を滑る傾斜面が形成されるようになされることができる。
【００１３】
上記挿入部の内周面には上記電源線に密着される突出部が形成され、上記装着部の内周面と上記突出部との間の段差により、上記電源線に密着された上記装着部の内周面と上記突出部との間には上記電源線と上記パッキンによって囲まれた水分隔離空間が形成されるようになされることができる。
【００１４】
上記電源線に密着される上記装着部の内周面と上記突出部との間で、上記パッキンの内周面には上記水分隔離空間に侵透した水分を吸収する水分吸収体が取り付けられるようになされることができる。
【００１５】
上記挿入部の内周面には上記電源線に密着される突出部が形成され、上記装着部の内周面には上記電源線に密着される凸部が形成され、上記突出部と上記凸部との間には上記電源線と上記パッキンによって囲まれた水分隔離空間が形成されるようになされることができる。
【００１６】
上記突出部と上記凸部との間で、上記パッキンの内周面には上記水分隔離空間に侵透した水分を吸収する水分吸収体が取り付けられるようになされることができる。
【００１７】
上記パッキンは、上記挿入部から延びて上記突部を基準として上記装着部と反対側で上記突部に密着される係部を含み、上記装着部と上記係部との間には上記パッキンと上記突部によって囲まれた水分隔離空間が形成されるようになされることができる。
【００１８】
上記装着部と上記係部との間で、上記パッキンの外周面には上記水分隔離空間に侵透した水分を吸収する水分吸収体が取り付けられるようになされることができる。
【００１９】
上記連結具が螺合される上記ジャンクションボックスの結合ホール内で上記電源線と上記ジャンクションボックスとの間を通しての水分の通過を遮断し、上記ジャンクションボックスの段差部に装着された状態で螺合される上記連結具によって縁が圧縮される密封パッキンを含み、上記連結具の外周面には、上記連結具が上記締結ホール及び上記結合ホールに両方向に螺合されながら上記コンバータ及び上記ジャンクションボックスによって両方向から押圧される環形突出部が形成されるようになされることができる。
【発明の効果】
【００２０】
本発明によれば、連結具によってパッキンの縁が圧縮される過程でパッキンと電源線との密着面積が増加することにより、雨水に露出される多湿な環境に設けられても水分浸透による故障や事故が防止されるようになされる防水性能改善型防爆灯を提供することができる。
【図面の簡単な説明】
【００２１】
【図１】従来の防爆灯のパッキンによる防水構造を示した部分断面図である。
【図２】本発明の一実施形態による防水性能改善型防爆灯の斜視図である。
【図３】図１の防水性能改善型防爆灯の分離斜視図である。
【図４】図１の防水性能改善型防爆灯において連結具、パッキン及び締結ホールを示した部分断面図である。
【図５】図１の防水性能改善型防爆灯において連結具、パッキン及び締結ホールを示した部分断面図である。
【図６】図１の防水性能改善型防爆灯において連結具、密封パッキン及び結合ホールを示した部分断面図である。
【図７】本発明の他の実施形態による防水性能改善型防爆灯において連結具、パッキン及び締結ホールを示した部分断面図である。
【発明を実施するための形態】
【００２２】
以下、添付図面を参照しながら本発明の望ましい実施形態を詳しく説明すると次の通りである。但し、本発明を説明するにあたって、既に公知の機能或いは構成に関する説明は、本発明の要旨を明瞭にするために省略することにする。
【００２３】
本発明の防水性能改善型防爆灯は、雨水に露出される多湿な環境に設けられても水分浸透による故障や事故が防止されるようになされる。
【００２４】
図１は従来の防爆灯のパッキンによる防水構造を示した部分断面図、図２は本発明の一実施形態による防水性能改善型防爆灯の斜視図、図３は図１の防水性能改善型防爆灯の分離斜視図、図４及び図５は図１の防水性能改善型防爆灯において連結具、パッキン及び締結ホールを示した部分断面図、図６は図１の防水性能改善型防爆灯において連結具、密封パッキン及び結合ホールを示した部分断面図、図７は本発明の他の実施形態による防水性能改善型防爆灯において連結具、パッキン及び締結ホールを示した部分断面図である。
【００２５】
図２及び図３に示されているように、本発明の防水性能改善型防爆灯１０は、雨水に露出される多湿な環境に設けられても水分浸透による故障や事故が防止されるようになされ、ボディ１００、コンバータ２００、ジャンクションボックス３００、連結具４００、パッキン５００及び密封パッキン６００を含んで構成される。
【００２６】
光を発光するランプが設けられたボディ１００、ボディ１００に供給される電力を変換するコンバータ２００、そしてコンバータ２００と電源線Ｗによって電気的に連結されるジャンクションボックス３００は一般的な防爆灯の構成であるため、ボディ１００、コンバータ２００及びジャンクションボックス３００の細部構成に関する詳しい説明は省略することにする。
【００２７】
従来の防爆灯においてボディ１００とコンバータ２００は主にボルトによって締結され、コンバータ２００とジャンクションボックス３００はニップルやパイプで連結される。本発明の防水性能改善型防爆灯１０において連結具４００は、従来のニップルやパイプのようにコンバータ２００とジャンクションボックス３００を機構的に連結する構成であり、両端部の外周面にはねじ山が形成され、内部には中空部４０１が形成される。
【００２８】
図４に示されているように、ジャンクションボックス３００とコンバータ２００を電気的に連結する電源線Ｗは中空部４０１を通過することになる。下では容易な理解のために図示された状態で上下を区分して説明することにする。
【００２９】
図３及び図４に示されているように、コンバータ２００の上端部には連結具４００が螺合され、電源線Ｗが通過する締結ホール２０１が形成される。締結ホール２０１の内周面には連結具４００が螺合されるねじ山が形成され、締結ホール２０１の内部でねじ山の下側にはパッキン５００が装着される突部２１０が形成される。突部２１０は締結ホール２０１の内周面から半径方向に突出したリング形態で形成される。突部２１０の中央部分は電源線Ｗが通過する電源線通過ホール２１１をなす。
【００３０】
図５の（ｂ）に示されているように、パッキン５００は、締結ホール２０１内で電源線Ｗとコンバータ２００との間を通しての水分の通過を遮断する構成であり、装着部５１０、隆起部５２０、挿入部５３０及び係部５４０を含んで構成される。
【００３１】
図４及び図５に示されているように、装着部５１０は、突部２１０に装着される構成であり、底面に突部２１０の上面に密着される平面を有するリング形態をなす。
【００３２】
装着部５１０の内径は電源線Ｗの外径と同じか若干大きく形成される。図５は、装着部５１０の内径が電源線Ｗの外径よりも若干大きく形成されたものを示している。図５で装着部５１０の内周面が電源線Ｗの外周面と離隔されていることが確認できる。下では装着部５１０の内径が電源線Ｗの外径よりも若干大きく形成された状態を基準として説明することにする。
【００３３】
隆起部５２０は、締結ホール２０１に連結具４００が螺合される過程で装着部５１０に電源線Ｗ側への弾力的な変形を誘導するための構成であり、装着部５１０から突部２１０と反対側に突出している。隆起部５２０は、装着部５１０から連結具４００に向かって突出した弧形断面が連結具４００の螺合軸を中心に円周方向に沿って連続した形態で形成される。
【００３４】
図４に示されているように、連結具４００の端部と内周面との間には隆起部５２０の曲面を滑る傾斜面４１０が形成される。連結具４００が図４の状態から締結ホール２０１に螺合されると、図５の（ａ）のように連結具４００の螺合が完了する前に傾斜面４１０は隆起部５２０の弧形曲面に最初に接触することになる。
【００３５】
その後、連結具４００が下にさらに螺合されながら、傾斜面４１０は隆起部５２０の曲面を滑って図５の（ｂ）の状態まで下降することになる。図５の（ｂ）の状態、すなわち、連結具４００の螺合が完了した状態で傾斜面４１０は元々の隆起部５２０の下端（図５の（ａ）参照）よりもさらに下に位置し、装着部５１０は連結具４００の下端と突部２１０との間で圧縮される。
【００３６】
傾斜面４１０が図５の（ａ）の状態から下降する過程で隆起部５２０は傾斜面４１０によって押圧されて電源線Ｗ側に移動し、図５の（ｂ）のように傾斜面４１０が元々の隆起部５２０の下端（図５の（ａ）参照）よりもさらに下に位置した状態で隆起部５２０は連結具４００の内周面によって押圧されて電源線Ｗ側に押された状態を維持することになる。
【００３７】
図５の（ａ）に示されているように、挿入部５３０は電源線通過ホール２１１の内側に突出部５３１を形成する構成であり、装着部５１０から延びて電源線通過ホール２１１に挿入された形態で形成される。図４に示されているように、挿入部５３０と装着部５１０の内周面は同一の大きさの内径からなる。下では容易な理解のために、装着部５１０と挿入部５３０の内周面内側に形成され電源線Ｗが挿入される孔を‘電源線挿入ホール５０１’と称することにする。
【００３８】
挿入部５３０の内周面には電源線Ｗに密着される突出部５３１が形成される。突出部５３１は、挿入部５３０の内周面から電源線Ｗに向かって突出した弧形断面が連結具４００の螺合軸を中心に円周方向に沿って連続した形態で形成される。突出部５３１の最短内径は電源線Ｗの外径よりも小さく形成される。
【００３９】
図５の（ａ）に示されているように、電源線Ｗが電源線挿入ホール５０１に挿入された状態で突出部５３１は電源線Ｗの外周面によって電源線Ｗの半径方向に押圧されて一部弾性圧縮される。従って、突出部５３１を基準として電源線挿入ホール５０１の上側と下側は互いに密閉されて電源線Ｗとパッキン５００との間を通しての水分の移動が遮断される。
【００４０】
この状態で突出部５３１を除いた挿入部５３０と装着部５１０の内周面は電源線Ｗの外周面と若干離隔されている状態を維持する。従って、連結具４００を用いたコンバータ２００とジャンクションボックス３００との連結時、電源線Ｗを電源線挿入ホール５０１に挿入する過程が容易になされる。
【００４１】
図５の（ｂ）に示されているように、連結具４００の螺合が完了すると、隆起部５２０は連結具４００の内周面によって押圧されて電源線Ｗ側に押された状態になり、隆起部５２０と一体に形成される装着部５１０も隆起部５２０と共に電源線Ｗ側に押されることにより、装着部５１０の内周面が電源線Ｗに密着される。
【００４２】
図１に示されているように、韓国登録特許公報第１３７０１２７号の産業用ＬＥＤ防爆灯の防水装置は、防水パッキンが電線案内管の締結力によってその上端縁部が押圧されると、防水パッキンの上端縁部が電線案内管によって下に圧縮されながら電線案内孔の上部は縁部側に多少移動することになって電線案内孔と電線との間に隙間が形成されるとの短所があった。水分は隙間を伝って染みこみやすいため、韓国登録特許公報第１３７０１２７号の防水装置を備えた防爆灯が雨水に露出される多湿な環境に設けられる場合、水分浸透による故障や事故の発生可能性が高い。
【００４３】
本発明の防水性能改善型防爆灯１０は、上述のように連結具４００が締結ホール２０１に螺合される過程で隆起部５２０が連結具４００の内周面によって押圧されて電源線Ｗ側に押されることにより、隆起部５２０と一体に形成される装着部５１０も隆起部５２０と共に電源線Ｗ側に押されて装着部５１０の内周面が電源線Ｗに密着されることから、上述のように防水パッキンの上端縁部が電線案内管によって下に圧縮されながら電線案内孔と電線との間に隙間が形成される従来技術の問題点を完璧に解決することになる。
【００４４】
本発明の防水性能改善型防爆灯１０は、従来技術の問題点を解決するにあたりより一歩進んで、連結具４００によってパッキン５００の縁が圧縮される過程でむしろ離隔されていた装着部５１０の内周面が電源線Ｗの外周面に密着されてパッキン５００の密着面積が増加することにより、電源線Ｗとパッキン５００との間の摩擦力が最小化された状態で電源線Ｗをパッキン５００の電源線挿入ホール５０１に容易に挿入できると共に、連結具４００が螺合される過程で電源線Ｗとパッキン５００との間の摩擦力を最大化させることにより、電源線Ｗとパッキン５００との間を通しての水分の通過を完全に遮断できることになる。
【００４５】
図５の（ｂ）に示されているように、装着部５１０の内周面と突出部５３１との間の段差により電源線Ｗに密着された装着部５１０の内周面と突出部５３１との間には電源線Ｗとパッキン５００によって囲まれた水分隔離空間５０２が形成される。
【００４６】
図５の（ａ）に示されているように、電源線Ｗに密着される装着部５１０の内周面と突出部５３１との間で、パッキン５００の内周面には水分隔離空間５０２に侵透した水分を吸収する水分吸収体５５０が取り付けられることができる。従って、水分隔離空間５０２に水分が侵透しても、水分吸収体５５０が侵透した水分を直ぐ吸収して水分が水分隔離空間５０２を越えて移動することが遮断される。
【００４７】
水分吸収体５５０は、高吸水性樹脂（Super Absorbent Polymer）などからなり得る。高吸水性樹脂は、自重の５００乃至１０００倍の純粋な水を吸収することができる機能を有する合成高分子物質であり、水を吸収すると迅速にゲル状態に変化し、ゲル状態に変化した後は圧力を受けても水をあまり排出しない。高吸水性樹脂は公知の技術であり、詳しい説明は省略することにする。
【００４８】
図７に示されているように、装着部５１０の内周面には電源線Ｗに密着される凸部５１１が形成されることもできる。図７の（ｂ）に示されているように、水分隔離空間５０２は（凸部５１１と装着部５１０の内周面との間の段差によって）突出部５３１と凸部５１１との間に図５の（ｂ）よりも大きい嵩を形成し、よって突出部５３１と上記凸部５１１との間でパッキン５００の内周面に取り付けられる水分吸収体５５０の量を増加させることができるとの利点がある。
【００４９】
図４及び図５に示されているように、係部５４０は連結具４００の押圧によるパッキン５００の上下方向（連結具４００の螺合軸方向）遊動を阻む構成であり、挿入部５３０から延びて突部２１０を基準として装着部５１０と反対側で突部２１０に密着される。
【００５０】
装着部５１０と係部５４０との間にはパッキン５００と突部２１０によって囲まれた水分隔離空間５０３が形成される。装着部５１０と係部５４０との間で、パッキン５００の外周面には水分隔離空間５０３に侵透した水分を吸収する水分吸収体５５０が取り付けられることができる。従って、水分隔離空間５０３に水分が侵透しても、水分吸収体５５０が侵透した水分を直ぐ吸収して水分が水分隔離空間５０３を越えて移動することが遮断される。
【００５１】
ジャンクションボックス３００の下端部には連結具４００が螺合され、電源線Ｗが通過する結合ホールが形成される。結合ホールの内周面には連結具４００が螺合されるねじ山が形成され、結合ホールの内部でねじ山の下側には密封パッキン６００が装着される段差部が形成される。段差部は結合ホールの内周面から半径方向に突出したリング形態で形成される。段差部の中央部分は電源線Ｗが通過する電源線通過ホールをなす。
【００５２】
図６に示されているように、密封パッキン６００は結合ホール内で電源線Ｗとジャンクションボックス３００との間を通しての水分の通過を遮断する構成であり、装着部、隆起部、挿入部及び係部を含んで構成される。
【００５３】
密封パッキン６００はパッキン５００と同一の形態で形成され、結合ホール及び段差部は上記締結ホール２０１及び突部２１０と同一の構造で形成される。従って、密封パッキン６００の装着部、隆起部、挿入部及び係部に関する説明は、パッキン５００の装着部５１０、隆起部５２０、挿入部５３０及び係部５４０に関する説明と上下方向のみ逆転するだけで実質的に同一であるため、これに関する詳しい説明は省略することにする。
【００５４】
図３に示されているように、連結具４００の外周面には、連結具４００が締結ホール２０１及び結合ホールに両方向に螺合されながらコンバータ２００及びジャンクションボックス３００によって両方向から押圧される環形突出部４２０が形成される。連結具４００が締結ホール２０１及び結合ホールに両方向に螺合された状態で環形突出部４２０がコンバータ２００及びジャンクションボックス３００によって両方向から押圧された構造を形成すると、連結具４００の螺合力によってコンバータ２００及びジャンクションボックス３００の外周面と環形突出部４２０が両側で密着面を形成することにより、外部から結合ホール及び締結ホール２０１への水分浸透が堅固に防止される。
【００５５】
本発明によると、連結具によってパッキンの縁が圧縮される過程でパッキンと電源線との密着面積が増加することにより、雨水に露出される多湿な環境に設けられても水分浸透による故障や事故が防止されるようになされる防水性能改善型防爆灯を提供することができる。
【００５６】
先に、本発明の特定の実施形態が説明及び図示されているが、本発明は記載の実施形態に限定されるものではなく、本発明の思想及び範囲を逸脱することなく多様な修正及び変形が可能であることは、本技術分野で通常の知識を有する者にとって自明なことである。従って、かかる修正例または変形例は、本発明の技術的思想や観点から個別に理解されてはならず、変形された実施形態は本発明の特許請求範囲に属するものとしなければならない。
【符号の説明】
【００５７】
１０：防爆灯
１００：ボディ
２００：コンバータ
２０１：締結ホール
２１０：突部
２１１：電源線通過ホール
３００：ジャンクションボックス
４００：連結具
４０１：中空部
４１０：傾斜面
４２０：環形突出部
５００：パッキン
５１０：装着部
５１１：凸部
５２０：隆起部
５３０：挿入部
５３１：突出部
５４０：係部
５０１：電源線挿入ホール
５０２，５０３：水分隔離空間
５５０：水分吸収体
６００：密封パッキン
Ｗ：電源線
【図１】
2018029051.tif 000003
【図２】
2018029051.tif 000004
【図３】
2018029051.tif 000005
【図４】
2018029051.tif 000006
【図５】
2018029051.tif 000007
【図６】
2018029051.tif 000008
【図７】
2018029051.tif 000009